(57)【要約】【課題】ＨＤＴＶ信号を、コンピュータ以外に専用の大型のハードウェアを用いることなくリアルタイムに編集する。【解決手段】圧縮されたＨＤＴＶ映像データをそれぞれ伸長するための第１のデコーダ２６，第２のデコーダ２２と、第１のデコーダ２６で伸長されたＨＤＴＶ映像データと、第２のデコーダ２２で伸長されたＨＤＴＶ映像データとに編集処理を施す編集処理手段２７及び２８とを備え、編集処理手段２７及び２８の編集結果を出力するようにした編集用デバイス８及び１４をコンピュータに装着し、コンピュータから、圧縮された第１のＨＤＴＶ映像データ，圧縮された第２のＨＤＴＶ映像データを、編集用デバイス１４，８の第１のデコーダ２６，第２のデコーダ２２に並行して転送する。【選択図】            図３
2004266758.tif 000002
【特許請求の範囲】
【請求項１】
コンピュータに装着してＨＤＴＶ信号を編集するためのデバイスにおいて、
前記コンピュータから転送された、圧縮されたＨＤＴＶ映像データをそれぞれ伸長するための第１のデコーダ，第２のデコーダと、
前記第１のデコーダで伸長されたＨＤＴＶ映像データと、前記第２のデコーダで伸長されたＨＤＴＶ映像データとに編集処理を施す編集処理手段と
を備え、前記編集処理手段の編集結果を出力するようにしたことを特徴とするＨＤＴＶ信号の編集用デバイス。
【請求項２】
請求項１に記載のＨＤＴＶ信号の編集用デバイスにおいて、
前記編集処理手段は、
前記第１のデコーダで伸長されたＨＤＴＶ映像データに対して特殊効果を施すエフェクタと、
前記エフェクタで特殊効果を施されたＨＤＴＶ映像データと、前記第２のデコーダで伸長されたＨＤＴＶ映像データとを合成する合成手段と
を含んだことを特徴とするＨＤＴＶ信号の編集用デバイス。
【請求項３】
請求項１に記載のＨＤＴＶ信号の編集用デバイスにおいて、
ＨＤＴＶデータの出力コネクタをさらに備え、
前記編集処理手段の編集結果を前記出力コネクタから出力することを特徴とするＨＤＴＶ信号の編集用デバイス。
【請求項４】
請求項１に記載のＨＤＴＶ信号の編集用デバイスにおいて、
前記編集処理手段で編集処理を施されたＨＤＴＶ映像データを圧縮するエンコーダをさらに備え、
前記エンコーダで圧縮されたＨＤＴＶ映像データを前記コンピュータに転送することを特徴とするＨＤＴＶ信号の編集用デバイス。
【請求項５】
請求項１に記載のＨＤＴＶ信号の編集用デバイスにおいて、
前記編集処理手段で編集処理を施されたＨＤＴＶ映像データをＳＤＴＶ映像データに変換する変換手段をさらに備え、
前記変換手段で変換されたＳＤＴＶ映像データを前記コンピュータに転送することを特徴とするＨＤＴＶ信号の編集用デバイス。
【請求項６】
請求項１に記載のＨＤＴＶ信号の編集用デバイスにおいて、
非圧縮のＨＤＴＶデータの入力コネクタと、
前記入力コネクタから入力したＨＤＴＶ映像データと、前記第１のデコーダで伸長されたＨＤＴＶ映像データとのうちの一方を選択して前記編集処理手段に供給する選択手段と
をさらに備え、
前記選択手段で選択されたＨＤＴＶ映像データと、前記第２のデコーダで伸長されたＨＤＴＶ映像データとに、前記編集処理手段で編集処理が施されることを特徴とするＨＤＴＶ信号の編集用デバイス。
【請求項７】
請求項１に記載のＨＤＴＶ信号の編集用デバイスにおいて、
前記デバイスは、ＰＣＩカードであることを特徴とするＨＤＴＶ信号の編集用デバイス。
【請求項８】
コンピュータを用いたＨＤＴＶ信号の編集装置において、
前記コンピュータに編集用デバイスが装着されており、
前記編集用デバイスは、
圧縮されたＨＤＴＶ映像データをそれぞれ伸長するための第１のデコーダ，第２のデコーダと、
前記第１のデコーダで伸長されたＨＤＴＶ映像データと、前記第２のデコーダで伸長されたＨＤＴＶ映像データとに編集処理を施す編集処理手段と
を備え、前記編集処理手段の編集結果を出力するようにされており、
前記コンピュータから、圧縮された第１のＨＤＴＶ映像データ，圧縮された第２のＨＤＴＶ映像データが、前記編集用デバイスの前記第１のデコーダ，前記第２のデコーダに並行して転送されることを特徴とするＨＤＴＶ信号の編集装置。
【請求項９】
請求項８に記載のＨＤＴＶ信号の編集装置において、
前記編集処理手段は、
前記第１のデコーダで伸長されたＨＤＴＶ映像データに対して特殊効果を施すエフェクタと、
前記エフェクタで特殊効果を施されたＨＤＴＶ映像データと、前記第２のデコーダで伸長されたＨＤＴＶ映像データとを合成する合成手段と
を含んだことを特徴とするＨＤＴＶ信号の編集装置。
【請求項１０】
請求項８に記載のＨＤＴＶ信号の編集装置において、
前記編集用デバイスは、
ＨＤＴＶデータの出力コネクタをさらに備え、
前記編集処理手段の編集結果を前記出力コネクタから出力することを特徴とするＨＤＴＶ信号の編集装置。
【請求項１１】
請求項８に記載のＨＤＴＶ信号の編集装置において、
前記編集用デバイスは、
前記編集処理手段で編集処理を施されたＨＤＴＶ映像データを圧縮するエンコーダをさらに備え、
前記エンコーダで圧縮されたＨＤＴＶ映像データを前記コンピュータに転送することを特徴とするＨＤＴＶ信号の編集装置。
【請求項１２】
請求項８に記載のＨＤＴＶ信号の編集装置において、
前記編集用デバイスは、
前記編集処理手段で編集処理を施されたＨＤＴＶ映像データをＳＤＴＶ映像データに変換する変換手段をさらに備え、
前記変換手段で変換されたＳＤＴＶ映像データを前記コンピュータに転送することを特徴とするＨＤＴＶ信号の編集装置。
【請求項１３】
請求項８に記載のＨＤＴＶ信号の編集装置において、
前記編集用デバイスは、
非圧縮のＨＤＴＶデータの入力コネクタと、
前記入力コネクタから入力したＨＤＴＶ映像データと、前記第１のデコーダで伸長されたＨＤＴＶ映像データとのうちの一方を選択して前記編集処理手段に供給する選択手段と
をさらに備え、
前記選択手段で選択されたＨＤＴＶ映像データと、前記第２のデコーダで伸長されたＨＤＴＶ映像データとに、前記編集処理手段で編集処理が施されることを特徴とするＨＤＴＶ信号の編集装置。
【請求項１４】
請求項８に記載のＨＤＴＶ信号の編集装置において、
前記編集用デバイスは、ＰＣＩカードであることを特徴とするＨＤＴＶ信号の編集装置。
【請求項１５】
コンピュータを用いたＨＤＴＶ信号の編集方法において、
前記コンピュータから、圧縮された第１のＨＤＴＶ映像データ，圧縮された第２のＨＤＴＶ映像データを、前記コンピュータに装着した編集用デバイスに並行して転送する転送ステップと、
前記編集用デバイスにおいて、前記転送ステップで転送された前記第１のＨＤＴＶ映像データ，前記第２のＨＤＴＶ映像データを並行して伸長する伸長ステップと、
前記編集用デバイスにおいて、前記伸長ステップで伸長した前記第１のＨＤＴＶ映像データと前記第２のＨＤＴＶ映像データとに編集処理を施す編集ステップと、
前記編集用デバイスから、前記編集ステップでの編集結果を出力する出力ステップと
を有することを特徴とするＨＤＴＶ信号の編集方法。
【請求項１６】
請求項１５に記載のＨＤＴＶ信号の編集方法において、
前記編集ステップで、前記第１のＨＤＴＶ映像データに対して特殊効果を施し、前記特殊効果を施した前記第１のＨＤＴＶ映像データと前記第２のＨＤＴＶ映像データとを合成することを特徴とするＨＤＴＶ信号の編集方法。
【請求項１７】
請求項１５に記載のＨＤＴＶ信号の編集方法において、
前記出力ステップで、前記編集ステップでの編集結果を、前記編集用デバイスに備えられたＨＤＴＶ信号の出力コネクタから出力することを特徴とするＨＤＴＶ信号の編集方法。
【請求項１８】
請求項１５に記載のＨＤＴＶ信号の編集方法において、
前記編集用デバイスにおいて、前記編集ステップで編集処理を施したＨＤＴＶ映像データを圧縮する圧縮ステップ
をさらに有し、
前記出力ステップでは、前記圧縮ステップで圧縮したＨＤＴＶ映像データを前記コンピュータに転送することを特徴とするＨＤＴＶ信号の編集方法。
【請求項１９】
請求項１５に記載のＨＤＴＶ信号の編集方法において、
前記編集用デバイスにおいて、前記編集ステップで編集処理を施したＨＤＴＶ映像データをＳＤＴＶ映像データに変換する変換ステップ
をさらに有し、
前記出力ステップでは、前記変換ステップで変換した前記ＳＤＴＶ映像データを前記コンピュータに転送することを特徴とするＨＤＴＶ信号の編集方法。
【請求項２０】
請求項１５に記載のＨＤＴＶ信号の編集方法において、
前記編集用デバイスにおいて、前記編集用デバイスに備えられた非圧縮のＨＤＴＶデータの入力コネクタから入力したＨＤＴＶ映像データと、前記伸長ステップで伸長した前記第１のＨＤＴＶ映像データとのうちの一方を選択する選択ステップ
をさらに有し、
前記編集ステップでは、前記選択ステップで選択したＨＤＴＶ映像データと、前記第２のＨＤＴＶ映像データとに編集処理を施すことを特徴とするＨＤＴＶ信号の編集方法。
【請求項２１】
請求項１５に記載のＨＤＴＶ信号の編集方法において、
前記編集用デバイスは、ＰＣＩカードであることを特徴とするＨＤＴＶ信号の編集方法。
【発明の詳細な説明】
【０００１】
【発明の属する技術分野】
本発明は、ＨＤＴＶ（Ｈｉｇｈ  Ｄｅｆｉｎｉｔｉｏｎ  Ｔｅｌｅｖｉｓｉｏｎ）信号をコンピュータを用いて編集するためのデバイスや、コンピュータを用いたＨＤＴＶ信号の編集装置及び編集方法に関する。
【０００２】
【従来の技術】
放送局やポストプロダクションのような映像コンテンツの制作部門では、素材である映像データや音声データを、ノンリニア編集装置で編集してテレビ番組、コマーシャル、または映画等のようなコンテンツを制作することが一般的に行われている。
【０００３】
ノンリニア編集装置としては、編集用のアプリケーションソフトウェアをインストールしたコンピュータ（ワークステーションやパーソナルコンピュータ）が従来から用いられている。
【０００４】
そうしたノンリニア編集装置では、素材を収録したＶＴＲやビデオカメラ等から、所望のシーン等の素材が、コンピュータに接続されたストレージデバイスまたはコンピュータの内蔵ハードディスクにキャプチャー（取り込み）される。
【０００５】
そして、キャプチャーした素材に特殊効果を施したり、キャプチャーした１つの素材を別の素材と合成したりつなぎ合わせる等の編集処理が上記編集用のアプリケーションソフトウェアを有したコンピュータで行われることにより、映像コンテンツが制作される（例えば、特許文献１参照）。
【０００６】
また、コンピュータを用いたノンリニア編集装置としては、ＰＣＩスロットに、編集処理（特殊効果や合成等）を行うための専用のＰＣＩカードを装着し、キャプチャーした素材をＰＣＩバスを介してこのＰＣＩカードに転送して編集処理を行うようにしたものも従来から存在している。
【０００７】
【特許文献１】
特開２００３−３７８０６号公報（段落番号００２４乃至００３３、図１及び図２）
【０００８】
【発明が解決しようとする課題】
ところで、近年は、デジタル放送の普及により、ＨＤＴＶ信号を編集する機会が増えている。
【０００９】
ＨＤＴＶ信号は、ＳＤＴＶ（Ｓｔａｎｄａｒｄ  Ｔｅｌｅｖｉｓｉｏｎ）信号の４〜５倍の情報量を持っており、１フレーム分のデータ量が約４メガバイトに達する。
【００１０】
専用のＰＣＩカードを装着したコンピュータを用いたノンリニア編集装置で、こうしたデータ量の多いＨＤＴＶ信号を編集しようとすると、ＰＣＩバスの帯域上の制約から、ＰＣＩカードには、一度に１つのＨＤＴＶ映像データを転送するのが精一杯であり、複数のＨＤＴＶ映像データを並行して転送することはできない。
【００１１】
このように一度に１つのデータ（素材）しか転送されないと、ＰＣＩカードでは、１つの素材を別の素材と合成したりつなぎ合わせる編集処理は、Ａ−Ｂロール編集のような比較的単純な編集処理でさえ、リアルタイムに行うことが不可能になる。
【００１２】
また、コンピュータを用いたノンリニア編集装置で、コンピュータのＣＰＵにレンダリング（ｒｅｎｄｅｒｉｎｇ）により映像を生成させることによってＨＤＴＶ信号を編集するようにした場合にも、多くのＣＰＵパワーと時間とを要することから、やはりＨＤＴＶ信号をリアルタイムに編集することは不可能である。
【００１３】
他方、コンピュータを用いるとともに、編集処理を行うための専用の大型のハードウェアを併用して編集を行うようにすれば、ＨＤＴＶ信号をリアルタイムに編集することは可能になる。しかし、このようなハードウェアを用いることは、編集システムの大型化や高コスト化を招いてしまう。
【００１４】
本発明は、上述の点に鑑み、ＨＤＴＶ信号を、コンピュータ以外に専用の大型のハードウェアを用いることなく、リアルタイムに編集できるようにすることを課題としてなされたものである。
【００１５】
【課題を解決するための手段】
この課題を解決するために、本出願人は、コンピュータに装着してＨＤＴＶ信号を編集するためのデバイスにおいて、コンピュータから転送された、圧縮されたＨＤＴＶ映像データをそれぞれ伸長するための第１のデコーダ，第２のデコーダと、この第１のデコーダで伸長されたＨＤＴＶ映像データと、この第２のデコーダで伸長されたＨＤＴＶ映像データとに編集処理を施す編集処理手段とを備え、この編集処理手段の編集結果を出力するようにしたものを提案する。
【００１６】
この編集用デバイスでは、圧縮されたＨＤＴＶ映像データをそれぞれ伸長するための第１，第２のデコーダが備えられており、これらのデコーダで伸長されたＨＤＴＶ映像データに編集処理手段で編集処理が施されて、その編集結果が出力される。
【００１７】
したがって、この編集用デバイスを装着したコンピュータでは、非圧縮のままのＨＤＴＶ映像データではなく、圧縮されたＨＤＴＶ映像データをストレージデバイスや内蔵ハードディスクにキャプチャーし、その圧縮されたＨＤＴＶ映像データをこの編集用デバイスに転送すれば足りる。
【００１８】
そして、圧縮されたＨＤＴＶ映像データは非圧縮のＨＤＴＶ映像データよりもデータ量が少なくなるので、非圧縮のままのＨＤＴＶ映像データでは帯域上の制約から一度に１つのＨＤＴＶ映像データしか転送できない場合でも、圧縮されたＨＤＴＶ映像データであれば並行して２つ以上転送することも可能になる。
【００１９】
これにより、コンピュータからこの編集用デバイスに２つのＨＤＴＶ映像データを並行して転送して編集処理を行わせることができるので、ＨＤＴＶ信号を、コンピュータ以外に専用の大型のハードウェアを用いることなく、リアルタイムに編集できるようになる。
【００２０】
なお、この編集用デバイスにおいて、一例として、編集処理手段には、第１のデコーダで伸長されたＨＤＴＶ映像データに対して特殊効果を施すエフェクタと、このエフェクタで特殊効果を施されたＨＤＴＶ映像データと第２のデコーダで伸長されたＨＤＴＶ映像データとを合成する合成手段とを含めることが好適である。
【００２１】
それにより、特殊効果によるシーンチェンジを伴う編集も、リアルタイムに行えるようになる。
【００２２】
また、この編集用デバイスにおいて、一例として、ＨＤＴＶデータの出力コネクタをさらに備え、編集処理手段の編集結果をこの出力コネクタから出力することが好適である。
【００２３】
それにより、編集結果を、この出力コネクタにつないだＨＤＴＶ用のモニターに表示させて、ＨＤＴＶの画像としてリアルタイムに確認できるようになる。
【００２４】
また、この編集用デバイスにおいて、一例として、編集処理手段で編集処理を施されたＨＤＴＶ映像データを圧縮するエンコーダをさらに備え、このエンコーダで圧縮されたＨＤＴＶ映像データをコンピュータに転送することも好適である。
【００２５】
それにより、編集結果を、圧縮されたＨＤＴＶ映像データとして、コンピュータに接続されたストレージデバイスやコンピュータの内蔵ハードディスクにリアルタイムに書き込むこともできるようになる。
【００２６】
また、この編集用デバイスにおいて、一例として、編集処理手段で編集処理を施されたＨＤＴＶ映像データをＳＤＴＶ映像データに変換する変換手段をさらに備え、この変換手段で変換されたＳＤＴＶ映像データをコンピュータに転送することも好適である。
【００２７】
それにより、編集結果を、コンピュータに接続されたコンピュータ用モニターに表示させてリアルタイムに確認することもできるようになる。
【００２８】
また、この編集用デバイスにおいて、一例として、非圧縮のＨＤＴＶデータの入力コネクタと、この入力コネクタから入力したＨＤＴＶ映像データと、第１のデコーダで伸長されたＨＤＴＶ映像データとのうちの一方を選択して編集処理手段に供給する選択手段とをさらに備え、この選択手段で選択されたＨＤＴＶ映像データと、第２のデコーダで伸長されたＨＤＴＶ映像データとに、編集処理手段で編集処理が施されるようにすることが好適である。
【００２９】
それにより、圧縮されたＨＤＴＶ映像データをコンピュータからこの編集用デバイスに転送するだけでなく、非圧縮のＨＤＴＶ映像データを外部から直接この編集用デバイスに入力させて、その非圧縮のＨＤＴＶ映像データに対して編集処理を施すこともできるようになる。
【００３０】
また、一例として、この編集用デバイスは、ＰＣＩカードであることが好適である。
【００３１】
それにより、ＰＣＩバスの帯域上の制約にもかかわらず、コンピュータからＰＣＩカードに２つのＨＤＴＶ映像データを並行して転送して編集処理を行わせることができるようになる。
【００３２】
次に、本出願人は、コンピュータを用いたＨＤＴＶ信号の編集装置において、コンピュータに編集用デバイスが装着されており、この編集用デバイスは、圧縮されたＨＤＴＶ映像データをそれぞれ伸長するための第１のデコーダ，第２のデコーダと、この第１のデコーダで伸長されたＨＤＴＶ映像データと、この第２のデコーダで伸長されたＨＤＴＶ映像データとに編集処理を施す編集処理手段とを備え、この編集処理手段の編集結果を出力するようにされており、コンピュータから、圧縮された第１のＨＤＴＶ映像データ，圧縮された第２のＨＤＴＶ映像データが、この編集用デバイスの第１のデコーダ，第２のデコーダに並行して転送されるようにしたものを提案する。
【００３３】
この編集装置は、前述の本発明に係る編集用デバイスをコンピュータに装着して、圧縮された２つのＨＤＴＶ映像データ（第１のＨＤＴＶ映像データ，第２のＨＤＴＶ映像データ）を並行してこの編集用デバイスに転送するようにしたものであり、本発明に係る編集用デバイスについて説明したように、ＨＤＴＶ信号を、コンピュータ以外に専用の大型のハードウェアを用いることなく、リアルタイムに編集できるようになる。
【００３４】
なお、この編集装置においても、一例として、編集用デバイスの編集処理手段には、第１のデコーダで伸長されたＨＤＴＶ映像データに対して特殊効果を施すエフェクタと、このエフェクタで特殊効果を施されたＨＤＴＶ映像データと第２のデコーダで伸長されたＨＤＴＶ映像データとを合成する合成手段とを含めることが好適である。
【００３５】
それにより、特殊効果によるシーンチェンジを伴う編集も、リアルタイムに行えるようになる。
【００３６】
また、この編集装置においても、一例として、編集用デバイスに、ＨＤＴＶデータの出力コネクタをさらに備え、編集処理手段の編集結果をこの出力コネクタから出力することが好適である。
【００３７】
それにより、編集結果を、この出力コネクタにつないだＨＤＴＶ用のモニターに表示させて、ＨＤＴＶの画像としてリアルタイムに確認できるようになる。
【００３８】
また、この編集装置においても、一例として、編集用デバイスに、編集処理手段で編集処理を施されたＨＤＴＶ映像データを圧縮するエンコーダをさらに備え、このエンコーダで圧縮されたＨＤＴＶ映像データを編集用デバイスからコンピュータに転送することも好適である。
【００３９】
それにより、編集結果を、圧縮されたＨＤＴＶ映像データとして、コンピュータに接続されたストレージデバイスやコンピュータの内蔵ハードディスクにリアルタイムに書き込むこともできるようになる。
【００４０】
また、この編集装置においても、一例として、編集用デバイスに、編集処理手段で編集処理を施されたＨＤＴＶ映像データをＳＤＴＶ映像データに変換する変換手段をさらに備え、この変換手段で変換されたＳＤＴＶ映像データをコンピュータに転送することも好適である。
【００４１】
それにより、編集結果を、コンピュータに接続されたコンピュータ用モニターに表示させてリアルタイムに確認することもできるようになる。
【００４２】
また、この編集装置においても、一例として、編集用デバイスに、非圧縮のＨＤＴＶデータの入力コネクタと、この入力コネクタから入力したＨＤＴＶ映像データと、第１のデコーダで伸長されたＨＤＴＶ映像データとのうちの一方を選択して編集処理手段に供給する選択手段とをさらに備え、この選択手段で選択されたＨＤＴＶ映像データと、第２のデコーダで伸長されたＨＤＴＶ映像データとに、編集処理手段で編集処理が施されるようにすることが好適である。
【００４３】
それにより、圧縮されたＨＤＴＶ映像データをコンピュータから編集用デバイスに転送するだけでなく、非圧縮のＨＤＴＶ映像データを外部から直接編集用デバイスに入力させて、その非圧縮のＨＤＴＶ映像データに対して編集処理を施すこともできるようになる。
【００４４】
また、この編集装置においても、一例として、編集用デバイスはＰＣＩカードであることが好適である。
【００４５】
それにより、ＰＣＩバスの帯域上の制約にもかかわらず、コンピュータからＰＣＩカードに２つのＨＤＴＶ映像データを並行して転送して編集処理を行わせることができるようになる。
【００４６】
次に、本出願人は、コンピュータを用いたＨＤＴＶ信号の編集方法において、コンピュータから、圧縮された第１のＨＤＴＶ映像データ，圧縮された第２のＨＤＴＶ映像データを、コンピュータに装着した編集用デバイスに並行して転送する転送ステップと、この編集用デバイスにおいて、この転送ステップで転送された第１のＨＤＴＶ映像データ，第２のＨＤＴＶ映像データを並行して伸長する伸長ステップと、この編集用デバイスにおいて、この伸長ステップで伸長した第１のＨＤＴＶ映像データと第２のＨＤＴＶ映像データとに編集処理を施す編集ステップと、この編集用デバイスから、この編集ステップでの編集結果を出力する出力ステップとを有するものを提案する。
【００４７】
この編集方法では、コンピュータから、そのコンピュータに装着した編集用デバイスに、圧縮された２つのＨＤＴＶ映像データ（第１のＨＤＴＶ映像データ，第２のＨＤＴＶ映像データ）を並行して転送する。
【００４８】
そして、この編集用デバイスで、転送されたこの２つのＨＤＴＶ映像データを並行して伸長し、伸長したこの２つのＨＤＴＶ映像データに編集処理を施して、その編集結果を出力する。
【００４９】
これにより、ＨＤＴＶ信号を、コンピュータ以外に専用の大型のハードウェアを用いることなく、リアルタイムに編集できるようになる。
【００５０】
なお、この編集方法においても、一例として、編集ステップで、第１のＨＤＴＶ映像データに対して特殊効果を施し、この特殊効果を施した第１のＨＤＴＶ映像データと第２のＨＤＴＶ映像データとを合成することが好適である。
【００５１】
それにより、特殊効果によるシーンチェンジを伴う編集も、リアルタイムに行えるようになる。
【００５２】
また、この編集方法においても、一例として、出力ステップで、編集ステップでの編集結果を、編集用デバイスに備えられたＨＤＴＶ信号の出力コネクタから出力することが好適である。
【００５３】
それにより、編集結果を、この出力コネクタにつないだＨＤＴＶ用のモニターに表示させて、ＨＤＴＶの画像としてリアルタイムに確認できるようになる。
【００５４】
また、この編集方法においても、一例として、編集用デバイスにおいて、編集ステップで編集処理を施したＨＤＴＶ映像データを圧縮する圧縮ステップをさらに有し、出力ステップでは、この圧縮ステップで圧縮したＨＤＴＶ映像データをコンピュータに転送することも好適である。
【００５５】
それにより、編集結果を、圧縮されたＨＤＴＶ映像データとして、コンピュータに接続されたストレージデバイスやコンピュータの内蔵ハードディスクにリアルタイムに書き込むこともできるようになる。
【００５６】
また、この編集方法においても、一例として、編集用デバイスにおいて、編集ステップで編集処理を施したＨＤＴＶ映像データをＳＤＴＶ映像データに変換する変換ステップをさらに有し、出力ステップでは、この変換ステップで変換したＳＤＴＶ映像データをコンピュータに転送することも好適である。
【００５７】
それにより、編集結果を、コンピュータに接続されたコンピュータ用モニターに表示させてリアルタイムに確認することもできるようになる。
【００５８】
また、この編集方法においても、一例として、編集用デバイスにおいて、編集用デバイスに備えられた非圧縮のＨＤＴＶデータの入力コネクタから入力したＨＤＴＶ映像データと、伸長ステップで伸長した第１のＨＤＴＶ映像データとのうちの一方を選択する選択ステップをさらに有し、編集ステップでは、この選択ステップで選択したＨＤＴＶ映像データと、第２のＨＤＴＶ映像データとに編集処理を施すことが好適である。
【００５９】
それにより、圧縮されたＨＤＴＶ映像データをコンピュータから編集用デバイスに転送するだけでなく、非圧縮のＨＤＴＶ映像データを外部から直接編集用デバイスに入力させて、その非圧縮のＨＤＴＶ映像データに対して編集処理を施すこともできるようになる。
【００６０】
また、この編集方法においても、一例として、編集用デバイスはＰＣＩカードであることが好適である。
【００６１】
それにより、ＰＣＩバスの帯域上の制約にもかかわらず、コンピュータからＰＣＩカードに２つのＨＤＴＶ映像データを並行して転送して編集処理を行わせることができるようになる。
【００６２】
【発明の実施の形態】
以下、本発明を図面を用いて具体的に説明する。図１は、本発明を適用したＨＤＴＶ信号の編集システムの全体構成を示す図である。この編集システムは、ワークステーション１，ストレージデバイス２，キーボード３，マウス４，ＶＧＡモニター５及び６，ＶＴＲ７，ＨＤＴＶモニター１０１を含んでいる。
【００６３】
ワークステーション１は、素材のキャプチャーや編集を行うための編集用アプリケーションソフトウェアがインストールされており、ノンリニア編集装置として用いられる。
【００６４】
この編集用アプリケーションソフトウェアによる操作画面のうち、キャプチャーした素材を編集するための操作画面に表示される操作釦には、次のような（ａ）〜（ｃ）のような操作釦が含まれている。
【００６５】
（ａ）ストレージデバイス２にキャプチャした素材の中から、編集対象の素材として、特殊効果を施す素材（以下‘素材Ａ’と呼ぶ）と、その素材Ａに合成する素材（以下‘素材Ｂ’と呼ぶ）との２つの素材を選択する素材選択釦。
【００６６】
（ｂ）素材Ａに施す特殊効果の種類（例えば、素材Ａのシーンの消し方として、ページをめくるようにして消すのか、波紋状に消すのか、あるいは爆発させるようにして消すのか等）を選択するとともに、選択した特殊効果についてのエフェクトパラメータを設定するための特殊効果選択釦。
【００６７】
（ｃ）編集処理の結果を、ＨＤＴＶモニター１０１に表示させるか、ストレージデバイス２に書き込むか、ＶＧＡモニター５や６に表示させるかを選択するための編集結果出力選択釦。
【００６８】
ストレージデバイス２は、例えば大容量のソリッドステートディスクであり、ワークステーション１で素材をキャプチャーする際の周辺記憶装置として用いられる。
【００６９】
キーボード３，マウス４，ＶＧＡモニター５及び６は、ワークステーション１の入出力装置であり、ワークステーション１を操作して編集作業を行ったり、編集結果を確認するために用いられる。
【００７０】
ＶＴＲ７は、ＨＤＣＡＭフォーマット（「ＨＤＣＡＭ」は登録商標）に対応した機種のＶＴＲであり、取材現場のＨＤＴＶカメラ等から供給される非圧縮のＨＤＴＶデータ（素材）をこのフォーマットで収録するために用いられる。
【００７１】
ＨＤＣＡＭフォーマットでは、ＨＤＴＶ信号が、帯域制限技術及びビットリダクション技術によって約１／７に圧縮される。したがって、コンピュータからは、このフォーマットで圧縮された２つのＨＤＴＶ映像データを並行してＰＣＩバスを介してＰＣＩカードに転送することが可能である。
【００７２】
ＶＴＲ７からは、ワークステーション１でのキャプチャー操作により、収録されたＨＤＣＡＭフォーマットのＨＤＴＶデータのうちの所望のＨＤＴＶデータがストレージデバイス２にキャプチャーされる。
【００７３】
ＨＤＴＶモニター１０１は、ワークステーション１のＰＣＩスロットに装着されたＰＣＩカード（図１では図示略）につながれており、編集結果をＨＤＴＶの画像として確認するために用いられる。
【００７４】
ワークステーション１のＰＣＩスロットには、３つのＰＣＩカードが装着されている。図２は、これらの３つのＰＣＩカード８，１４及び１６の外観構成を略示す図である。
【００７５】
ＰＣＩカード８は、ＨＤＴＶデータの入出力や、ＨＤＣＡＭフォーマットのＨＤＴＶ映像データ（以下‘ＨＤ圧縮データ’と呼ぶ）のデコードを行うためのＰＣＩカードである。ＰＣＩカード８は、コンピュータ内においてＰＣＩスロットを装備した基板（以下‘マザーボード’と呼ぶ）に勘合するためのＰＣＩコネクタ１３と、コンピュータにねじ止めして固定するための機構部品１２を有している。
【００７６】
また、ＰＣＩカード８は、コンピュータを介さずに直接外部との間で信号の入出力を行うためのコネクタとして、基準信号の入力コネクタ９と、非圧縮のＨＤＴＶデータの入力コネクタ１０と、非圧縮のＨＤＴＶデータの出力コネクタ１１とを有している。図１のＨＤＴＶモニター１０１は、このＰＣＩカード８の出力コネクタ１１につながれている。
【００７７】
ＰＣＩカード１４は、主に、ＨＤＴＶデータの入出力や、ＨＤ圧縮データのデコードや、ＨＤＴＶデータに対する編集処理を行うためのＰＣＩカードである。ＰＣＩカード１４も、ＰＣＩカード８と全く同様のＰＣＩコネクタ（図２では省略しているが、図３のＰＣＩコネクタ２５）及び固定用機構部品を有している。
【００７８】
ＰＣＩカード１６は、ＳＤＴＶデータの入出力を行うためのＰＣＩカードである。ＰＣＩカード１６も、ＰＣＩカード８と全く同様のＰＣＩコネクタ（図２では省略しているが、図３のＰＣＩコネクタ４０）及び固定用機構部品を有している。
【００７９】
また、ＰＣＩカード１６は、コンピュータを介さずに直接外部との間で信号の入出力を行うためのコネクタとして、基準信号の入力コネクタ１８と、非圧縮のＳＤＴＶデータの入力コネクタ１９と、非圧縮のＳＤＴＶデータの出力コネクタ２０とを有している。
【００８０】
また、ＰＣＩカード８，ＰＣＩカード１４は、互いの間でＨＤＴＶデータを授受するためのコネクタ（図２では省略しているが、図３のコネクタ２４，２９）をそれぞれ有しており、それらのコネクタはケーブル１５でつながれている。
【００８１】
また、ＰＣＩカード８，ＰＣＩカード１６は、互いの間でＳＤＴＶデータを授受するためのポート（図２では省略しているが、図３のポート３３，３８）をそれぞれ有しており、それらのポートはケーブル１７でつながれている。
【００８２】
図３は、これらのＰＣＩカード８，１４及び１６の回路構成を示すブロック図である。ＰＣＩカード８は、圧縮データコントローラ２１と、デコーダ２２と、非圧縮データコントローラ２３と、クロック生成回路３０と、エンコーダ３１と、ＰＣＩカード８の各部を制御するＣＰＵ３２とを搭載している。
【００８３】
圧縮データコントローラ２１は、図２にも示したＰＣＩコネクタ１３を介して、ワークステーション１内のＰＣＩバスの制御や、ＨＤ圧縮データの入出力制御を行う回路である。圧縮データコントローラ２１に入力したＨＤ圧縮データは、デコーダ２２に送られる。
【００８４】
デコーダ２２は、ＨＤ圧縮データをデコード（伸長）して非圧縮のＨＤＴＶ映像データに戻す回路である。デコーダ２２でデコードされたＨＤＴＶ映像データは、非圧縮データコントローラ２３に送られる。
【００８５】
非圧縮データコントローラ２３は、図２にも示した入力コネクタ１０，出力コネクタ１１やコネクタ２４（ＰＣＩカード１４との間でのＨＤＴＶデータ授受用のコネクタ）を介したＨＤＴＶデータの入出力制御や、ポート３３（ＰＣＩカード１６との間でのＳＤＴＶデータ授受用のポート）を介したＳＤＴＶデータの入出力制御を行う回路である。また、非圧縮データコントローラ２３内には、ＨＤＴＶとＳＤＴＶとの間での信号方式の変換を行うコンバータ１０３が設けられている。
【００８６】
クロック生成回路３０は、図２にも示した入力コネクタ９から入力した基準信号から、クロック信号を生成してＰＣＩカード８の各部に供給する回路である。
【００８７】
エンコーダ３１は、非圧縮データコントローラ２３から送られた非圧縮のＨＤＴＶ映像データを、ＨＤＣＡＭフォーマットでエンコード（圧縮）する回路である。エンコーダ３１からは、エンコードしたＨＤＴＶ映像データ（ＨＤ圧縮データ）が圧縮データコントローラ２１に送られる。
【００８８】
ＰＣＩカード１４は、デコーダ２６と、エフェクタ２７と、コントローラ２８と、ＰＣＩカード１４の各部を制御するＣＰＵ３４と、クロック生成回路１００とを搭載している。
【００８９】
デコーダ２６は、ＰＣＩカード８のデコーダ２２と同じく、ＨＤ圧縮データをデコードして非圧縮のＨＤＴＶ映像データに戻す回路である。尚、図示しないが、デコーダ２６とデコーダ２２は、同じ基盤上にあっても構わない。
【００９０】
エフェクタ２７は、非圧縮のＨＤＴＶ映像データに対して特殊効果を施すための回路である。
【００９１】
コントローラ２８は、ＰＣＩコネクタ２５を介したＨＤ圧縮データの入出力制御や、デコーダ２６，エフェクタ２７，コネクタ２９との間でのＨＤＴＶ映像データの授受を行う回路である。
【００９２】
ＰＣＩカード１６は、ビデオプロセッシングコントローラ３９を搭載している。ビデオプロセッシングコントローラ３９は、ＰＣＩコネクタ４０，入力コネクタ１９，出力コネクタ２０，ポート３８（ＰＣＩカード８との間での非圧縮のＳＤＴＶデータ授受用のポート）を介した非圧縮のＳＤＴＶデータの入出力制御等を行う回路である。
【００９３】
図４は、ＰＣＩカード１４のコントローラ２８の回路構成を示すブロック図である。コントローラ２８には、ＨＤＴＶ映像データを一時記憶するための数百メガバイトの容量のメモリー（例えばＳＤＲＡＭまたはＳＲＡＭ）４１が接続されている。コントローラ２８は、このメモリー４１を制御するメモリーコントローラ４２と、入出力ポート４３，４４，４８と、ＤＭＡ（ダイレクトメモリアクセス）コントローラ４６と、ＦＩＦＯ（先入れ先出し）回路４７と、色補正・キー生成回路４９と、図３にも示されている合成回路５０と、インターフェース５２と、デュアルポートＲＡＭ５３とを含んでいる。
【００９４】
入出力ポート４３は、コネクタ２９とメモリーコントローラ４２との間で非圧縮のＨＤＴＶ映像データを授受するためのポートである。
【００９５】
入出力ポート４４は、メモリーコントローラ４２からデコーダ２６にＨＤ圧縮データを送ったり、デコーダ２６からの非圧縮のＨＤＴＶ映像データをメモリーコントローラ４２に送るためのポートである。
【００９６】
入出力ポート４８は、色補正・キー生成回路４９からエフェクタ２７に非圧縮のＨＤＴＶ映像データを送ったり、エフェクタ２７からのＨＤＴＶ映像データをメモリーコントローラ４２に送るためのポートである。
【００９７】
インターフェース５２は、ＣＰＵ３４とコントローラ２８内の各部との間のインターフェースである（図では、メモリーコントローラ４２，ＦＩＦＯ回路４７，デュアルポートＲＡＭ５３以外の各部とインターフェース５２とを結ぶ接続線は図示を省略している）。
【００９８】
ＤＭＡコントローラ４６は、ＰＣＩコネクタ２５を介して入力したＨＤ圧縮データをメモリーコントローラ４２に送ったり、ＰＣＩコネクタ２５を介して入力したエフェクトパラメータをデュアルポートＲＡＭ５３に書き込む役割を果たす。
【００９９】
ＦＩＦＯ回路４７は、ＰＣＩコネクタ２５を介して入力したコマンドをＣＰＵ３４に送ったり、ＣＰＵ３４からのステータスをＰＣＩコネクタ２５を介して出力するためのバッファである。
【０１００】
色補正・キー生成回路４９は、メモリーコントローラ４２から送られた非圧縮のＨＤＴＶ映像データに対して、色補正処理や、輝度信号からキー信号（透明度を示す信号）を生成するルミナンスキー生成処理や、特定のクロミナンス成分からキー信号を生成するクロマキー生成処理を施す回路である。
【０１０１】
合成回路５０は、メモリーコントローラ４２から送られた２つの非圧縮のＨＤＴＶ映像データをキー信号に基づいて合成する回路である。合成回路５０で合成されたＨＤＴＶ映像データは、メモリーコントローラ４２に戻される。
【０１０２】
デュアルポートＲＡＭ５３は、エフェクタ２７内のＣＰＵ３７が、ＤＭＡコントローラ４６によって書き込まれたエフェクトパラメータを読み出したり、ＣＰＵ３４やＣＰＵ３７が、互い間で授受すべき各種情報の書込み・読出しを行うために用いられる。
【０１０３】
図５は、ＰＣＩカード１４のエフェクタ２７の回路構成を示すブロック図である。エフェクタ２７は、図３にも示されているように、メモリー制御ブロック３５と、読出しアドレス生成ブロック３６と、これらのブロック３５，３６を制御するＣＰＵ３７とを含んでいる。
【０１０４】
メモリー制御ブロック３５には、外部フレームメモリ５５が接続されている。メモリー制御ブロック３５は、メモリー制御・フィルター処理回路５４と、アドレス・キー信号発生回路５６とを含んでいる。
【０１０５】
メモリー制御・フィルター処理回路５４は、外部フレームメモリ５５の制御や、フィルター処理によるアンチエイリアジングを行う回路である。
【０１０６】
アドレス・キー信号発生回路５６は、１画素のデータ毎の書込みアドレス，読出しアドレスをメモリー制御・フィルター処理回路５４に与えたり、シーンチェンジ時の境界（例えば前のシーンの中から、後のシーンを表示した丸い枠が次第に拡大していくようなシーンチェンジにおける、丸い枠）を示すキー信号を発生してメモリー制御・フィルター処理回路５４に与える回路である。
【０１０７】
読出しアドレス生成ブロック３６には、外部メモリー５７が接続されている。読出しアドレス生成ブロック３６は、ワークステーション１にインストールされている編集用アプリケーションソフトウェアによる前述の特殊効果選択釦で選択・設定された特殊効果の種類・エフェクトパラメータに基づき、外部メモリー５７との間で１００ＭＨｚ以上の速度でデータをやりとりしつつ加算，乗算，直交座標の極座標への変換等の演算を行うことにより、１画素のデータ毎の読出しアドレス（Ｘ’，Ｙ’）を生成するブロックである。
【０１０８】
コントローラ２８から入出力ポート４８（図４）を介してエフェクタ２７に１フレーム分の非圧縮のＨＤＴＶ映像データが送られると、そのＨＤＴＶ映像データが、アドレス・キー信号発生回路５６からの書込みアドレス（Ｘ，Ｙ）に従い、メモリー制御・フィルター処理回路５４を経て外部フレームメモリ５５にシーケンシャルに書き込まれる。
【０１０９】
そして、読出しアドレス生成ブロック３６で生成された読出しアドレス（Ｘ’，Ｙ’）がメモリー制御ブロック３５内のアドレス・キー信号発生回路５６に伝えられ、この読出しアドレス（Ｘ’，Ｙ’）に従ってメモリー制御・フィルター処理回路５４を経て外部フレームメモリ５５からＨＤＴＶ映像データがシーケンシャルに読み出されることにより、ＨＤＴＶ映像データに対して画像の変形処理が施される。
【０１１０】
フレームメモリ５５から読み出されたＨＤＴＶ映像データは、メモリー制御・フィルター処理回路５４からコントローラ２８内の入出力ポート４８に送られる。
【０１１１】
コントローラ２８から送られる各フレームのＨＤＴＶ映像データに対してエフェクタ２７でこうした処理が行われることにより、例えばページをめくるようにしてシーンを消す等の特殊効果がＨＤＴＶ映像データに施される。
【０１１２】
なお、本出願人は、このエフェクタ２７のような特殊効果を施す装置や方法に関する発明を、特開２０００−１２２７７２号公報，特開平７−０５９００２号公報，特開平６−３０３５１２〜３０３５１６号公報等で既に開示済みであり、それらの公報には、例えば読出しアドレス生成ブロック３６に相当するブロックの回路構成・動作等が詳細に記載されている。
【０１１３】
次に、この編集システムにおける編集処理動作を説明する。
〔素材の転送・デコードに関する動作〕
まず、ワークステーション１にインストールされている編集用アプリケーションソフトウェアによる操作画面での前述の素材選択釦の操作に基づく素材の転送・デコードに関する動作を説明する。
【０１１４】
素材選択釦で素材Ａ（特殊効果を施す素材）及び素材Ｂ（素材Ａに合成する素材）が選択されると、ワークステーション１から、素材Ａとして選択されたＨＤ圧縮データ，素材Ｂとして選択されたＨＤ圧縮データが、ＨＤＴＶの１フレーム分の時間毎に１フレーム分ずつ、ＰＣＩバスを介してそれぞれＰＣＩカード１４，ＰＣＩカード８（図３）に並行して転送される。
【０１１５】
ＰＣＩカード８では、この転送される各フレームのＨＤ圧縮データが、ＰＣＩコネクタ１３を介して圧縮データコントローラ２１に入力する。そして、圧縮データコントローラ２１からデコーダ２２に送られて、所定フレーム分（例えば２フレーム分）の時間内にデコードされる。
【０１１６】
デコーダ２２でデコードされたＨＤＴＶ映像データは、所定フレーム分（例えば１フレーム分）の時間内に、デコーダ２２から非圧縮データコントローラ２３に送られ、非圧縮データコントローラ２３からコネクタ２４を介してＰＣＩカード１４に送られる。
【０１１７】
ＰＣＩカード１４は、ＰＣＩカード８から送られるＨＤＴＶ映像データが、コネクタ２９を介してコントローラ２８に入力し、入出力ポート４３及びメモリーコントローラ４２（図４）を経てメモリー４１（図４）に一時記憶される。
【０１１８】
他方、ＰＣＩカード１４では、ワークステーション１からＰＣＩバスを介して転送される各フレームのＨＤ圧縮データが、ＰＣＩコネクタ２５を介してコントローラ２８に入力する。
【０１１９】
このＨＤ圧縮データは、ＤＭＡコントローラ４６（図４），メモリーコントローラ４２（図４）を経てメモリー４１に一時記憶された後、メモリー４１からメモリーコントローラ４２及び入出力ポート４４（図４）を経てデコーダ２６（図４）に送られ、所定フレーム分（例えば２フレーム分）の時間内にデコードされて、入出力ポート４４及びメモリーコントローラ４２を経てメモリー４１に一時記憶される。
【０１２０】
〔特殊効果に関する動作〕
次に、編集用アプリケーションソフトウェアによる操作画面での前述の特殊効果選択釦の操作に基づく特殊効果に関する動作を、ＰＣＩカード１４のＣＰＵ３４による制御と関連させて説明する。
【０１２１】
特殊効果選択釦で特殊効果の種類の選択及びエフェクトパラメータの設定が行われると、ワークステーション１からＰＣＩバスを介してエフェクト開始コマンドがＰＣＩカード１４に送られるとともに、設定されたエフェクトパラメータが、ワークステーション１内のマザーボード上のメモリに格納される。
【０１２２】
ＰＣＩカード１４では、このエフェクト開始コマンドが、ＰＣＩコネクタ２５を介してコントローラ２８に入力する。コントローラ２８では、このエフェクト開始コマンドが、ＦＩＦＯ回路４７（図４）及びインターフェース５２（図４）を経てＣＰＵ３４に送られる。
【０１２３】
ＣＰＵ３４は、エフェクト開始コマンドを受け取ると、ワークステーション１内のマザーボード上のメモリに格納されているエフェクトパラメータを、ＰＣＩコネクタ２５を介してコントローラ２８に入力させ、ＤＭＡコントローラ４６（図４）によってデュアルポートＲＡＭ５３（図４）に書き込ませる。
【０１２４】
続いてＣＰＵ３４は、エフェクタ２７内のＣＰＵ３７に宛てた演算開始指示を、デュアルポートＲＡＭ５３に書き込む。
【０１２５】
エフェクタ２７内のＣＰＵ３７は、デュアルポートＲＡＭ５３からこの演算開始指示を読み出すと、デュアルポートＲＡＭ５３からエフェクトパラメータを読み出し、読出しアドレス生成ブロック３６にそのエフェクトパラメータを用いて各画素のデータの読出しアドレスを演算させる。
【０１２６】
そしてＣＰＵ３７は、読出しアドレス生成ブロック３６での演算が完了すると、ＨＤＴＶデータが受信可能であることを示すＣＰＵ３４宛てのステータスを、デュアルポートＲＡＭ５３に書き込む。
【０１２７】
ＣＰＵ３４は、デュアルポートＲＡＭ５３からこのステータスを読み出すと、デコーダ２６でデコードされてメモリー４１に一時記憶されているＨＤＴＶ映像データ（素材Ａ）を、メモリーコントローラ４２を経て色補正・キー生成回路４９（図４）に送信させる。
【０１２８】
そしてＣＰＵ３４は、色補正・キー信号生成回路４で処理を施されたＨＤＴＶ映像データを、入出力ポート４８（図４）を経てエフェクタ２７のメモリー制御ブロック３５に送信させる。
【０１２９】
エフェクタ２７のメモリー制御ブロック３５では、このＨＤＴＶ映像データが、外部フレームメモリー５５（図５）に書き込まれた後、読出しアドレス生成ブロック３６で演算された読出しアドレスに従って外部フレームメモリー５５から読み出されて、コントローラ２８の入出力ポート４８に送られる。
【０１３０】
エフェクタ２７でのこの処理も、１フレーム分のＨＤＴＶデータにつき、所定のフレーム分（例えば１フレーム分）の時間内に行われる。
【０１３１】
ＣＰＵ３４は、エフェクタ２７から入出力ポート４８に送られたＨＤＴＶ映像データを、メモリーコントローラ４２を経てメモリー４１に一時記憶させる。
【０１３２】
〔編集処理動作全体の流れ〕
次に、、編集用アプリケーションソフトウェアによる操作画面で、前述の素材選択釦，特殊効果選択釦，編集結果出力選択釦がそれぞれ操作されるとともに編集処理の開始を指示する操作が行われた際の、編集処理動作全体の流れについて説明する。
【０１３３】
図６は、編集処理の結果をＨＤＴＶモニター１０１に表示させることが編集結果出力選択釦で選択された際の、各フレームの素材に対する編集処理動作全体の流れを示すタイミングチャートであり、図の左側がＰＣＩカード８についての動作、図の右側がＰＣＩカード１４についての動作である。
【０１３４】
また、図７は、図６の編集処理動作におけるＰＣＩカード８，１４内での素材の流れを示す図であり、２点鎖線は素材Ａの流れ，１点鎖線は素材Ｂの流れ，破線は素材Ａと素材Ｂとの合成後の流れを表している。
【０１３５】
〔素材の転送・デコードに関する動作〕として既に説明したように、素材選択釦で素材Ｂ，素材Ａとして選択されたＨＤ圧縮データが、ワークステーション１から、ＨＤＴＶの１フレーム分の時間毎に１フレーム分ずつ、ＰＣＩバスを介してそれぞれＰＣＩカード８，ＰＣＩカード１４に並行して転送される（図６のステップＳ１，Ｓ１１）。
【０１３６】
ＰＣＩカード８，ＰＣＩカード１４では、この転送される１フレーム分のＨＤ圧縮データが、所定フレーム分（例えば２フレーム分）の時間内に、デコーダ２６，デコーダ２２で並行してデコードされる（図６のステップＳ２，Ｓ１２）。
【０１３７】
ＰＣＩカード８からは、デコーダ２２でデコードされたＨＤＴＶ映像データが、所定フレーム分（例えば１フレーム分）の時間内にＰＣＩカード１４に送信される（図６のステップＳ３）。
【０１３８】
ＰＣＩカード１４では、この同じ時間内に、ＰＣＩカード８から送られたＨＤＴＶ映像データが受信されるとともに、〔特殊効果に関する動作〕として既に説明したようにして、デコーダ２６でデコードされたＨＤＴＶ映像データに対してコントローラ２８内の色補正・キー生成回路４９で処理が施される（図６のステップＳ１３）。
【０１３９】
続いて、ＰＣＩカード１４で、所定フレーム分（例えば１フレーム分）の時間内に、〔特殊効果に関する動作〕として説明したようにして、色補正・キー生成回路４９で処理を施されたＨＤＴＶ映像データに対してエフェクタ２７で特殊効果のための処理が施される（図６のステップＳ１４）。
【０１４０】
続いて、ＰＣＩカード１４で、所定フレーム分（例えば１フレーム分）の時間内に、エフェクタ２７で処理を施されたＨＤＴＶ映像データと、ステップＳ１２でＰＣＩカード８から受信したＨＤＴＶ映像データとが、コントローラ２８内の合成回路５０で合成される（図６のステップＳ１５）。
【０１４１】
具体的には、このステップＳ１５では、〔特殊効果に関する動作〕として説明したようにエフェクタ２７からコントローラ２８に送られてメモリー４１（図４）に一時記憶されたＨＤＴＶ映像データと、〔素材の転送・デコードに関する動作〕として説明したようにＰＣＩカード８から送られてメモリー４１に一時記憶されたＨＤＴＶ映像データとが、メモリーコントローラ４２（図４）を経て合成回路５０（図３，図４）に送られ、合成回路５０で合成された後メモリーコントローラ４２を経てメモリー４１に一時記憶される。
【０１４２】
続いて、メモリー４１に一時記憶されたこの合成後のＨＤＴＶ映像データ（編集処理結果）が、所定フレーム分（例えば１フレーム分）の時間内に、メモリーコントローラ４２及び入出力ポート４３（図４）を経てコントローラ２８から出力され、ＰＣＩカード１４からコネクタ２９を介してＰＣＩカード８に送信される（図６のステップＳ１６）。
【０１４３】
ＰＣＩカード８では、ＰＣＩカード１４から送られたこのＨＤＴＶデータが、コネクタ２４を介して非圧縮データコントローラ２３に入力する（図６のステップＳ４）。
【０１４４】
そして、ＰＣＩカード８で、所定フレーム分（例えば１フレーム分）の時間内に、このＨＤＴＶデータが非圧縮データコントローラ２３から出力コネクタ１１を介してＨＤＴＶモニター１０１（図１）に出力される（図６のステップＳ５）。
【０１４５】
図８は、編集処理の結果をストレージデバイス２に書き込むことが編集結果出力選択釦で選択された際の、各フレームの素材に対する編集処理動作全体の流れを示すタイミングチャートであり、図の左側がＰＣＩカード８についての動作、図の右側がＰＣＩカード１４についての動作である。
【０１４６】
また、図９は、図８の編集処理動作におけるＰＣＩカード８，１４内での素材の流れを示す図であり、２点鎖線は素材Ａの流れ，１点鎖線は素材Ｂの流れ，破線は素材Ａと素材Ｂとの合成後の流れを表している。
【０１４７】
図８において、ＰＣＩカード８についてのステップＳ１〜Ｓ４までの動作と、ＰＣＩカード１４についてのステップＳ１１〜Ｓ１６までの動作とは、図６における同じステップ番号の動作と同じであるので、重複説明を省略する。
【０１４８】
ＰＣＩカード８では、ステップＳ４に続き、ＰＣＩカード１４から送られた合成後のＨＤＴＶ映像データが、非圧縮データコントローラ２３からエンコーダ３１に送られ、所定フレーム分（例えば２フレーム分）の時間内にエンコードされる（ステップＳ２１）。
【０１４９】
そして、ＰＣＩカード８で、このエンコードされたＨＤＴＶ映像データ（ＨＤ圧縮データ）が、所定フレーム分（例えば１フレーム分）の時間内に、エンコーダ３１から圧縮データコントローラ２１に送られ、ＰＣＩコネクタ１３からＰＣＩバスを介してワークステーション１に転送される（ステップＳ２２）。
【０１５０】
ワークステーション１では、ＰＣＩカード８から転送されたこのＨＤ圧縮データが、ストレージデバイス２に書き込まれる。
【０１５１】
図１０は、編集処理の結果をＶＧＡモニター５または６に表示させることが編集結果出力選択釦で選択された際の、各フレームの素材に対する編集処理動作全体の流れを示すタイミングチャートであり、図の左側がＰＣＩカード８についての動作、図の右上側がＰＣＩカード１４についての動作、図の右下側がＰＣＩカード１６についての動作である。
【０１５２】
また、図１１は、図１０の編集処理動作におけるＰＣＩカード８，１４，１６内での素材の流れを示す図であり、２点鎖線は素材Ａの流れ，１点鎖線は素材Ｂの流れ，破線は素材Ａと素材Ｂとの合成後の流れを表している。
【０１５３】
図１０において、ＰＣＩカード８についてのステップＳ１〜Ｓ４までの動作と、ＰＣＩカード１４についてのステップＳ１１〜Ｓ１６までの動作とは、図６における同じステップ番号の動作と同じであるので、重複説明を省略する。
【０１５４】
ＰＣＩカード８では、ステップＳ４に続き、所定フレーム分の時間内に、ＰＣＩカード１４から送られた合成後のＨＤＴＶ映像データが、非圧縮データコントローラ２３内のコンバータ１０３によってＳＤＴＶ映像データに変換される（ステップＳ３１）。
【０１５５】
そして、ＰＣＩカード８で、所定フレーム分の時間内に、このＳＤＴＶ映像データが非圧縮データコントローラ２３からポート３３を介してＰＣＩカード１６に送られる（ステップＳ３２）。
【０１５６】
ＰＣＩカード１６では、このＰＣＩカード８から送られたＳＤＴＶ映像データが、ポート３８を介してビデオプロセッシングコントローラ３９に入力する（ステップＳ４１）。
【０１５７】
そして、ＰＣＩカード８で、所定フレーム分の時間内に、このＳＤＴＶ映像データがＰＣＩコネクタ４０からＰＣＩバスを介してワークステーション１に転送される（ステップＳ４２）。
【０１５８】
ワークステーション１では、ＰＣＩカード１６から転送されたこのＳＤＴＶデータが、ＶＧＡモニター５または６に表示される。
【０１５９】
ワークステーション１からは、１フレーム分の時間毎に１フレーム分のＨＤ圧縮データがＰＣＩカード８，ＰＣＩカード１４に転送され、転送された各フレームのＨＤ圧縮データに対してＰＣＩカード８やＰＣＩカード１４やＰＣＩカード１６で図６や図８や図１０の編集処理動作が順次連続的に行われるので、特殊効果によるシーンチェンジ（例えば素材Ａのシーンをページをめくるようにして消しながら素材Ｂのシーンに移行するシーンチェンジ）を伴う編集が、リアルタイムに行われる。
【０１６０】
次に、オペレータがこの編集システムで素材を編集する様子について説明する。オペレータが、操作画面で素材選択釦，特殊効果選択釦，編集結果出力選択釦をそれぞれ操作するとともに編集処理の開始を指示する操作を行うと、素材選択釦で素材Ａ（特殊効果を施す素材），素材Ｂ（素材Ａに合成する素材）として選択されたＨＤ圧縮データが、ワークステーション１からＰＣＩバスを介して１フレーム分ずつ順次ＰＣＩカード１４，８に並行して転送され（図６や図８や図１９のステップＳ１，Ｓ１１）、デコーダ２６，２２で並行してデコードされる（図６や図８や図１９のステップＳ２，Ｓ１２）。
【０１６１】
そして、デコーダ２６でデコードされた各フレームのＨＤＴＶ映像データにエンコーダ２７で順次特殊効果が施され、その特殊効果を施された各フレームのＨＤＴＶ映像データとデコーダ２２でデコードされた各フレームのＨＤＴＶ映像データとがコントローラ２８内の合成回路５０で順次合成される（図６や図８や図１９のステップＳ１４〜Ｓ１６）ことにより、素材Ａ及び素材Ｂにリアルタイムに編集処理が施される。
【０１６２】
そして、編集結果出力選択釦でＨＤＴＶモニター１０１への表示を選択した場合には、編集結果が、ＰＣＩカード８からＨＤＴＶモニター１０１に出力されて（図６のステップＳ５）、ＨＤＴＶモニター１０１に表示される。
【０１６３】
また、編集結果出力選択釦でストレージデバイス２への書込みを選択した場合には、編集結果が、ＨＤ圧縮データとしてＰＣＩカード８からワークステーション１に転送され（図８のステップＳ２１，Ｓ２２）、ワークステーション１によってストレージデバイス２に書き込まれる。
【０１６４】
また、編集結果出力選択釦でＶＧＡモニター５または６への表示を選択した場合には、編集結果が、ＳＤＴＶデータとしてＰＣＩカード１４からワークステーション１に転送され（図１０のステップＳ３１，Ｓ３２，Ｓ４１，Ｓ４２）、ワークステーション１によってＶＧＡモニター５または６に表示される。
【０１６５】
以上のように、この編集システムでは、ＨＤＣＡＭフォーマットで圧縮したＨＤＴＶデータが、素材としてストレージデバイス２にキャプチャされる。そして、キャプチャした素材の中から編集対象として選択された２つの素材（圧縮されたＨＤＴＶ映像データ）が、ワークステーション１から、ワークステーション１に装着されたＰＣＩカード８，ＰＣＩカード１４に並行して転送され、ＰＣＩカード８，ＰＣＩカード１４において並行してデコードされて編集処理を施される。
【０１６６】
このように、ＰＣＩバスの帯域上の制約にもかかわらず、ワークステーション１からＰＣＩカード８，ＰＣＩカード１４に２つのＨＤＴＶデータを並行して転送して編集処理を行わせることができるので、ＨＤＴＶ信号を、ワークステーション１以外に専用の大型のハードウェアを用いることなく、リアルタイムに編集できるようになっている。
【０１６７】
また、特殊効果によるシーンチェンジを伴う編集を、リアルタイムに行えるようになっている。
【０１６８】
また、編集結果を、ＨＤＴＶモニター１０１に表示させてＨＤＴＶの画像としてリアルタイムに確認したり、圧縮されたＨＤＴＶ映像データとしてストレージデバイス２に書き込んだり、ワークステーション１に接続されたＶＧＡモニター５または６に表示させてリアルタイムに確認することができるようになっている。
【０１６９】
さらに、ＰＣＩカード８はＨＤ入力コネクタ１１を有しているので、ＰＣＩカード８の非圧縮データコントローラ２３に、この入力コネクタ１１から入力したＨＤＴＶデータと、デコーダ２２でデコードされたＨＤＴＶデータとのうちの一方を選択させてコネクタ２４を介してＰＣＩカード１４に送信させる（例えば、編集用アプリケーションソフトウェアによる操作画面でこの選択を行えるようにする）こともできる。
【０１７０】
したがって、ストレージデバイス２にキャプチャーしたＨＤ圧縮データを素材Ｂとしてワークステーション１からＰＣＩカード８に転送するだけでなく、非圧縮のＨＤＴＶデータを外部から直接素材ＢとしてＰＣＩカード８に入力させて、その非圧縮のＨＤＴＶデータに対して編集処理を施すこともできる。
【０１７１】
なお、以上の例では、ＰＣＩカード１４に特殊効果用のエフェクタ２７を設けて、特殊効果によるシーンチェンジを伴う編集を行うようにしている。しかし、これに限らず、適宜の編集（例えばＡ−Ｂロール編集等）をＰＣＩカード１４で行うようにしてよい。
【０１７２】
また、以上の例では、ＨＤＣＡＭフォーマットで圧縮された２つのＨＤＴＶ映像データを、ＰＣＩカード８，ＰＣＩカード１４に並行して転送して、ＰＣＩカード８，ＰＣＩカード１４で並行してデコードさせている。しかし、これに限らず、ＨＤＣＡＭフォーマット以外のフォーマットで圧縮された２つのＨＤＴＶ映像データを、ＰＣＩカード８，ＰＣＩカード１４に並行して転送し、ＰＣＩカード８，ＰＣＩカード１４で並行してデコードさせる（デコーダ２２，２６やエンコーダ３１に代えてそのフォーマット用のデコードやエンコーダを設ける）ようにしてもよい。
【０１７３】
また、以上の例では、ワークステーション１に、ＰＣＩカード８，ＰＣＩカード１４及びＰＣＩカード１６という３つのＰＣＩカードを装着している。しかし、別の例として、ＰＣＩカード８とＰＣＩカード１４との機能を併有した１つのＰＣＩカードを製作し、そのＰＣＩカードをＰＣＩカード８及びＰＣＩカード１４のかわりにワークステーション１に装着してもよい。
【０１７４】
さらには、ＰＣＩカード８，ＰＣＩカード１４及びＰＣＩカード１６の全ての機能を併有した１つのＰＣＩカードを製作し、そのＰＣＩカードをＰＣＩカード８，ＰＣＩカード１４及びＰＣＩカード１６のかわりにワークステーション１に装着してもよい。
【０１７５】
また、以上の例では、ワークステーション１からＰＣＩカードに２つのＨＤ圧縮データを並行して転送し、ＰＣＩカードにそれらのＨＤ圧縮データを並行してデコードさせて編集処理を行わせている。しかし、これに限らず、ＰＣＩカード以外のデバイスをワークステーション１に装着し、ワークステーション１からそのデバイスに２つのＨＤ圧縮データを並行して転送し、そのデバイスにそれらのＨＤ圧縮データを並行してデコードさせて編集処理を行わせるようにしてもよい。
【０１７６】
また、以上の例では、ワークステーションをノンリニア編集装置として用いたり、ストレージデバイスに素材（ＨＤ圧縮データ）をキャプチャーしたり、ＶＴＲから素材をキャプチャーしている。しかし、これに限らず、パーソナルコンピュータをノンリニア編集装置として用いたり、コンピュータの内蔵ハードディスクに素材をキャプチャーしたり、ビデオカメラやビデオサーバーから素材をキャプチャーしてもよい。
【０１７７】
また、本発明は、以上の例に限らず、本発明の要旨を逸脱することなく、その他様々の構成をとりうることはもちろんである。
【０１７８】
【発明の効果】
以上のように、本発明によれば、ＨＤＴＶ信号を、コンピュータ以外に専用の大型のハードウェアを用いることなく（したがって編集システムの大型化や高コスト化を招くことなく）、リアルタイムに編集できるという効果が得られる。
【０１７９】
さらに、特殊効果によるシーンチェンジを伴う編集も、リアルタイムに行えるという効果も得られる。
【０１８０】
さらに、編集結果を、ＨＤＴＶ用のモニターに表示させて、ＨＤＴＶの画像としてリアルタイムに確認できるという効果も得られる。
【０１８１】
さらに、編集結果を、圧縮されたＨＤＴＶデータとして、コンピュータに接続されたストレージデバイスやコンピュータの内蔵ハードディスクにリアルタイムに書き込むことができるという効果も得られる。
【０１８２】
さらに、編集結果を、コンピュータ用モニターに表示させてリアルタイムに確認できるという効果も得られる。
【０１８３】
さらに、圧縮されたＨＤＴＶデータをコンピュータから編集用デバイスに転送するだけでなく、非圧縮のＨＤＴＶデータを外部から直接編集用デバイスに入力させて、その非圧縮のＨＤＴＶデータに対して編集処理を施すことができるという効果も得られる。
【０１８４】
さらに、ＰＣＩバスの帯域上の制約にもかかわらず、コンピュータからＰＣＩカードに２つのＨＤＴＶデータを並行して転送して編集処理を行わせることができるという効果も得られる。
【図面の簡単な説明】
【図１】本発明を適用した編集システムの全体構成を示す図である。
【図２】図１のワークステーションに装着されたＰＣＩカードの外観構成を示す図である。
【図３】図２のＰＣＩカードの回路構成を示すブロック図である。
【図４】図３のコントローラ２８の回路構成を示すブロック図である。
【図５】図３のエフェクタ２７の回路構成を示すブロック図である。
【図６】編集処理動作全体の流れを示すタイミングチャートである。
【図７】図６の編集処理動作におけるＰＣＩカードでの素材の流れを示す図である。
【図８】編集処理動作全体の流れを示すタイミングチャートである。
【図９】図８の編集処理動作におけるＰＣＩカードでの素材の流れを示す図である。
【図１０】編集処理動作全体の流れを示すタイミングチャートである。
【図１１】図１０の編集処理動作におけるＰＣＩカードでの素材の流れを示す図である。
【符号の説明】
１  ワークステーション、  ２  ストレージデバイス、  ５．６  ＶＧＡモニター、  ７  ＶＴＲ、  ８，１４，１６  ＰＣＩボード、  １０  ＨＤ入力コネクタ、  １１  ＨＤ出力コネクタ、  １３，２５，４０  ＰＣＩコネクタ、  ２１  圧縮データコントローラ、  ２２，２６  デコーダ、  ２３  非圧縮データコントローラ、  ２４，２９  コネクタ、  ２７  エフェクタ、  ２８  コントローラ、  ３２，３４  ＣＰＵ、  ４１  メモリー、  ４２  メモリーコントローラ、  ４９  色補正・キー生成回路、  ５０  合成回路、  １０１  ＨＤＴＶモニター
【図１】
2004266758.tif 000003
【図２】
2004266758.tif 000004
【図３】
2004266758.tif 000005
【図４】
2004266758.tif 000006
【図５】
2004266758.tif 000007
【図６】
2004266758.tif 000008
【図７】
2004266758.tif 000009
【図８】
2004266758.tif 000010
【図９】
2004266758.tif 000011
【図１０】
2004266758.tif 000012
【図１１】
2004266758.tif 000013